【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
ＮＡＰＴＲレコードを格納するＥＮＵＭサーバとＩＰネットワークを介して接続されるＩＰ電話装置であって、
自装置の端末情報を記憶する記憶手段と、
前記ＥＮＵＭサーバに対して前記記憶手段に記憶している端末情報とともに自装置のＮＡＰＴＲレコードの登録要求を送信する送信手段と、を具備することを特徴とするＩＰ電話装置。
【請求項２】
前記送信手段は、前記ＩＰ電話装置を設置後の起動時に前記登録要求を送信することを特徴とする請求項１記載のＩＰ電話装置。
【請求項３】
前記ＩＰ電話装置はユーザが在宅であることを示すために押下する在宅キーを備え、前記送信手段は前記在宅キーが押下されたときに前記登録要求を送信することを特徴とする請求項１記載のＩＰ電話装置。
【請求項４】
前記ＩＰネットワークを介してＩＰ電話装置の呼接続を制御する呼接続制御装置と接続する接続手段と、
当該ＩＰ電話装置のユーザが在宅していることを通知する通知先のＩＰ電話装置を記憶する記憶手段と、
前記記憶手段に記憶される通知先のＩＰ電話装置のＮＡＰＴＲレコードを前記ＥＮＵＭサーバから取得し、該ＮＡＰＴＲレコードにより前記呼接続制御装置から前記通知先のＩＰ電話装置のＩＰアドレスを取得する取得手段と、を具備し、
前記送信手段は、前記ＩＰアドレスを取得した通知先に当該ＩＰ電話装置のユーザが在宅していることを示す在宅通知情報を送信することを特徴とする請求項１記載のＩＰ電話装置。
【請求項５】
ＥＮＵＭサーバとＩＰ電話装置の呼接続を制御する呼接続制御装置とにＩＰネットワークを介して接続されるＩＰ電話装置であって、
前記ＩＰ電話装置はユーザが在宅であることを示すために押下する在宅キーを備え、前記在宅キーが押下されたときに前記ＥＮＵＭサーバに対して自装置の端末情報とともにＮＡＰＴＲレコードの登録要求を送信する送信手段と、
当該ＩＰ電話装置のユーザが在宅していることを通知する通知先のＩＰ電話装置を記憶する記憶手段と、
前記記憶手段に記憶される通知先のＩＰ電話装置のＮＡＰＴＲレコードを前記ＥＮＵＭサーバから取得し、該ＮＡＰＴＲレコードにより前記呼接続制御装置から前記通知先のＩＰ電話装置のＩＰアドレスを取得する取得手段と、を具備し、
前記送信手段は、前記ＩＰアドレスを取得した通知先に当該ＩＰ電話装置のユーザが在宅していることを示す在宅通知情報を送信することを特徴とするＩＰ電話装置。
【請求項６】
他のＩＰ電話装置から在宅通知情報を受信する受信手段と、
前記受信手段により在宅通知情報を受信したとき、前記他のＩＰ電話装置のユーザの在宅を表示する表示手段と、
を具備することを特徴とする請求項１又は４又は５記載のＩＰ電話装置。
【請求項７】
ＩＰ電話装置とＩＰネットワークを介して接続されるＥＮＵＭサーバであって、
ＩＰ電話装置のＮＡＰＴＲレコードを記憶する記憶手段と、
前記ＩＰ電話装置からＮＡＰＴＲレコードを登録するための登録要求を前記ＩＰ電話装置の端末情報とともに受信する受信手段と、
前記受信手段により登録要求を受信したとき、前記ＩＰ電話装置の端末情報に基づいてＮＡＰＴＲレコードを前記記憶手段に登録する登録手段と、
前記登録手段による登録結果を前記ＩＰ電話装置に送信する送信手段と、を具備することを特徴とするＥＮＵＭサーバ。
【請求項８】
ＩＰネットワークに接続されたＩＰ電話装置と、ＩＰ電話装置のＮＡＰＴＲレコードを登録するデータベースを具備するＥＮＵＭサーバと、を具備するＩＰ電話システムであって、
前記ＩＰ電話装置は、
前記ＥＮＵＭサーバに対して自装置の端末情報とともにＮＡＰＴＲレコードの登録要求を送信する送信手段を具備し、
前記ＥＮＵＭサーバは、
前記ＩＰ電話装置から送信される登録要求を受信する受信手段と、
前記登録要求を受信したとき、前記ＩＰ電話装置の端末情報に基づいてＮＡＰＴＲレコードを前記データベースに登録する登録手段と、
前記登録手段による登録結果を前記ＩＰ電話装置に送信する送信手段と、を具備することを特徴とするＩＰ電話システム。
【請求項９】
ＩＰネットワークに接続されたＩＰ電話装置と、ＩＰ電話装置のＮＡＰＴＲレコードを登録するデータベースを具備するＥＮＵＭサーバと、ＩＰ電話装置の呼接続を制御する呼接続制御装置とを具備するＩＰ電話システムであって、
前記ＩＰ電話装置は、
ユーザが在宅であることを示すために押下する在宅キーを備え、前記在宅キーが押下されたときに前記ＥＮＵＭサーバに対して自装置の端末情報とともにＮＡＰＴＲレコードの登録要求を送信する送信手段と、
当該ＩＰ電話装置のユーザが在宅していることを通知する通知先のＩＰ電話装置を記憶する記憶手段と、
前記記憶手段に記憶される通知先のＩＰ電話装置のＮＡＰＴＲレコードを前記ＥＮＵＭサーバから取得し、該ＮＡＰＴＲレコードにより前記呼接続制御装置から前記通知先のＩＰ電話装置のＩＰアドレスを取得する取得手段と、を具備し、
前記送信手段は、前記ＩＰアドレスを取得した通知先に当該ＩＰ電話装置のユーザが在宅していることを示す在宅通知情報を送信し、
前記ＥＮＵＭサーバは、
前記ＩＰ電話装置から送信される登録要求または他のＩＰ電話装置のＮＡＰＴＲレコードの問い合わせを受信する受信手段と、
前記登録要求を受信したとき、前記ＩＰ電話装置の端末情報に基づいてＮＡＰＴＲレコードを前記データベースに登録する登録手段と、
前記問い合わせを受信したとき、他のＩＰ電話装置のＮＡＰＴＲレコードをデータベースから検索する検索手段と、
前記登録手段による登録結果または前記検索手段により検索されたＮＡＰＴＲレコードを前記ＩＰ電話装置に送信する送信手段と、を具備し、
前記呼接続制御装置は、
ＩＰ電話装置の識別情報とＩＰアドレスとを対応付けて記憶する記憶手段と、
前記ＩＰ電話装置から他のＩＰ電話装置のＩＰアドレスの問い合わせを受信する受信手段と、
前記ＩＰアドレスの問い合わせを受信したとき、前記記憶手段からＩＰアドレスを検索し前記ＩＰ電話装置に送信する送信手段と、を具備することを特徴とするＩＰ電話システム。
【手続補正２】
【補正対象書類名】明細書
【補正対象項目名】０００７
【補正方法】変更
【補正の内容】
【０００７】
本発明は、ＥＮＵＭサーバとＩＰネットワークを介して接続されるＩＰ電話装置であって、当該ＩＰ電話装置を設置後の起動時、または所定キーの押下により、前記ＥＮＵＭサーバに対して自装置のＮＡＰＴＲレコードの登録要求を送信する送信手段を具備するようにしたものである。
【手続補正３】
【補正対象書類名】明細書
【補正対象項目名】０００９
【補正方法】変更
【補正の内容】
【０００９】
本発明の第１の態様に係るＩＰ電話装置は、ＮＡＰＴＲレコードを格納するＥＮＵＭサーバとＩＰネットワークを介して接続されるＩＰ電話装置であって、自装置の端末情報を記憶する記憶手段と、前記ＥＮＵＭサーバに対して前記記憶手段に記憶している端末情報とともに自装置のＮＡＰＴＲレコードの登録要求を送信する送信手段と、を具備する構成を採る。
【手続補正４】
【補正対象書類名】明細書
【補正対象項目名】００１５
【補正方法】変更
【補正の内容】
【００１５】
本発明の第４の態様は、第１の態様に係るＩＰ電話装置において、前記ＩＰネットワークを介してＩＰ電話装置の呼接続を制御する呼接続制御装置と接続する接続手段と、当該ＩＰ電話装置のユーザが在宅していることを通知する通知先のＩＰ電話装置を記憶する記憶手段と、前記記憶手段に記憶される通知先のＩＰ電話装置のＮＡＰＴＲレコードを前記ＥＮＵＭサーバから取得し、該ＮＡＰＴＲレコードにより前記呼接続制御装置から前記通知先のＩＰ電話装置のＩＰアドレスを取得する取得手段と、を具備し、前記送信手段は、前記ＩＰアドレスを取得した通知先に当該ＩＰ電話装置のユーザが在宅していることを示す在宅通知情報を送信する構成を採る。
【手続補正５】
【補正対象書類名】明細書
【補正対象項目名】００１７
【補正方法】変更
【補正の内容】
【００１７】
本発明の第５の態様に係るＩＰ電話装置は、ＥＮＵＭサーバとＩＰ電話装置の呼接続を制御する呼接続制御装置とにＩＰネットワークを介して接続されるＩＰ電話装置であって、前記ＩＰ電話装置はユーザが在宅であることを示すために押下する在宅キーを備え、前記在宅キーが押下されたときに前記ＥＮＵＭサーバに対して自装置の端末情報とともにＮＡＰＴＲレコードの登録要求を送信する送信手段と、当該ＩＰ電話装置のユーザが在宅していることを通知する通知先のＩＰ電話装置を記憶する記憶手段と、前記記憶手段に記憶される通知先のＩＰ電話装置のＮＡＰＴＲレコードを前記ＥＮＵＭサーバから取得し、該ＮＡＰＴＲレコードにより前記呼接続制御装置から前記通知先のＩＰ電話装置のＩＰアドレスを取得する取得手段と、を具備し、前記送信手段は、前記ＩＰアドレスを取得した通知先に当該ＩＰ電話装置のユーザが在宅していることを示す在宅通知情報を送信する構成を採る。
【手続補正６】
【補正対象書類名】明細書
【補正対象項目名】００２１
【補正方法】変更
【補正の内容】
【００２１】
本発明の第７の態様に係るＥＮＵＭサーバは、ＩＰ電話装置とＩＰネットワークを介して接続されるＥＮＵＭサーバであって、ＩＰ電話装置のＮＡＰＴＲレコードを記憶する記憶手段と、前記ＩＰ電話装置からＮＡＰＴＲレコードを登録するための登録要求を前記ＩＰ電話装置の端末情報とともに受信する受信手段と、前記受信手段により登録要求を受信したとき、前記ＩＰ電話装置の端末情報に基づいてＮＡＰＴＲレコードを前記記憶手段に登録する登録手段と、前記登録手段による登録結果を前記ＩＰ電話装置に送信する送信手段と、を具備する構成を採る。
【手続補正７】
【補正対象書類名】明細書
【補正対象項目名】００２３
【補正方法】変更
【補正の内容】
【００２３】
本発明の第８の態様に係るＩＰ電話システムは、ＩＰネットワークに接続されたＩＰ電話装置と、ＩＰ電話装置のＮＡＰＴＲレコードを登録するデータベースを具備するＥＮＵＭサーバと、を具備するＩＰ電話システムであって、前記ＩＰ電話装置は、前記ＥＮＵＭサーバに対して自装置の端末情報とともにＮＡＰＴＲレコードの登録要求を送信する送信手段を具備し、前記ＥＮＵＭサーバは、前記ＩＰ電話装置から送信される登録要求を受信する受信手段と、前記登録要求を受信したとき、前記ＩＰ電話装置の端末情報に基づいてＮＡＰＴＲレコードを前記データベースに登録する登録手段と、前記登録手段による登録結果を前記ＩＰ電話装置に送信する送信手段と、を具備する構成を採る。
【手続補正８】
【補正対象書類名】明細書
【補正対象項目名】００２５
【補正方法】変更
【補正の内容】
【００２５】
本発明の第９の態様に係るＩＰ電話システムは、ＩＰネットワークに接続されたＩＰ電話装置と、ＩＰ電話装置のＮＡＰＴＲレコードを登録するデータベースを具備するＥＮＵＭサーバと、ＩＰ電話装置の呼接続を制御する呼接続制御装置とを具備するＩＰ電話システムであって、前記ＩＰ電話装置は、ユーザが在宅であることを示すために押下する在宅キーを備え、前記在宅キーが押下されたときに前記ＥＮＵＭサーバに対して自装置の端末情報とともにＮＡＰＴＲレコードの登録要求を送信する送信手段と、当該ＩＰ電話装置のユーザが在宅していることを通知する通知先のＩＰ電話装置を記憶する記憶手段と、前記記憶手段に記憶される通知先のＩＰ電話装置のＮＡＰＴＲレコードを前記ＥＮＵＭサーバから取得し、該ＮＡＰＴＲレコードにより前記呼接続制御装置から前記通知先のＩＰ電話装置のＩＰアドレスを取得する取得手段と、を具備し、前記送信手段は、前記ＩＰアドレスを取得した通知先に当該ＩＰ電話装置のユーザが在宅していることを示す在宅通知情報を送信し、前記ＥＮＵＭサーバは、前記ＩＰ電話装置から送信される登録要求または他のＩＰ電話装置のＮＡＰＴＲレコードの問い合わせを受信する受信手段と、前記登録要求を受信したとき、前記ＩＰ電話装置の端末情報に基づいてＮＡＰＴＲレコードを前記データベースに登録する登録手段と、前記問い合わせを受信したとき、他のＩＰ電話装置のＮＡＰＴＲレコードをデータベースから検索する検索手段と、前記登録手段による登録結果または前記検索手段により検索されたＮＡＰＴＲレコードを前記ＩＰ電話装置に送信する送信手段と、を具備し、前記呼接続制御装置は、ＩＰ電話装置の識別情報とＩＰアドレスとを対応付けて記憶する記憶手段と、前記ＩＰ電話装置から他のＩＰ電話装置のＩＰアドレスの問い合わせを受信する受信手段と、前記ＩＰアドレスの問い合わせを受信したとき、前記記憶手段からＩＰアドレスを検索し前記ＩＰ電話装置に送信する送信手段と、を具備する構成を採る。
【手続補正９】
【補正対象書類名】明細書
【補正対象項目名】００３６
【補正方法】変更
【補正の内容】
【００３６】
また、ＣＰＵ２０１は、ＥＮＵＭサーバ１０３へ宛先端末に対応するＮＡＰＴＲレコードを問い合わせる「ＮＡＰＴＲ問い合わせ」の送出や、その「ＮＡＰＴＲ問い合わせ」に対する応答「ＮＡＰＴＲＳＩＰサービス応答」の受信の制御を行う。また、ＣＰＵ２０１は、ＩＰ電話１０１がＩＰネットワーク１０５に接続され設置された後の電源オン時またはＩＰ電話に設けられた在宅キーを押下した時に、予めメモリ２０２に記憶した自装置の端末情報の登録要求を、ネットワークＩ／Ｆ２０５からＥＮＵＭサーバ１０３に自動的に送出する処理、その登録要求に対する応答「登録完了応答」を受信する処理を制御する。
【手続補正１０】
【補正対象書類名】明細書
【補正対象項目名】００４９
【補正方法】変更
【補正の内容】
【００４９】
ＣＰＵ４０１は、メモリ４０２に記憶された制御プログラムに基づいてＥＮＵＭサーバ１０３全体を制御する。また、ＣＰＵ４０１は、例えば、ＩＰ電話１０１からＮＡＰＴＲレコードの登録要求を受け付けると、例えば「Ｎｓｕｐｄａｔｅ」のようなアプリケーションソフトを起動して、後述するデータベース４０３にＩＰ電話１０１のＮＡＰＴＲレコードを登録する処理と、登録完了応答をネットワークＩ／Ｆ４０５からＩＰ電話１０１に返送する処理を制御する。なお、ＣＰＵ４０１は、登録手段として機能する。